(57)【要約】      （修正有）【課題】押離鍵操作を検出するための弾性部材スイッチを備えた鍵盤装置において、簡単な構成で、良好な鍵タッチ感を得る。【解決手段】鍵１０の下方にて、スイッチ部４２ａを一体形成した弾性部材プレート４２が、フレームの基板支持部２５上に固定されたプリント基板４１上に固定されている。スイッチ部４２ａは、押鍵時に、鍵１０の下面に一体的に設けたスイッチ駆動部１２により押圧変形される。弾性部材プレート４２は、プリント基板４１の前端から張り出している。鍵１０の下面には、下方に延設された係合部材１３が一体的に設けられている。係合部材１３は、押離鍵操作時に、上下方向に変位して、突起１３ａを弾性部材プレート４２の前端部に係合させるとともに同前端部を乗り越えさせる。【選択図】図２
2008191350.tif 000002
【特許請求の範囲】
【請求項１】
前後方向に延設されていて、押鍵操作時には前端部が下方向に変位するとともに離鍵操作時には所定の位置に復帰するようにフレームに支持された鍵と、
鍵の押離鍵操作を検出するためのスイッチ部を一体形成した弾性部材プレートであって、前端部が上下方向に変位するようにフレームに支持された弾性部材プレートと、
前記鍵の押離鍵操作に連動して変位して、前記鍵の押鍵操作時に前記スイッチ部を駆動するスイッチ駆動部と、
前記弾性部材プレートの前端部に対向して設けられるとともに同前端部側に突起を有し、前記鍵の押離鍵操作に連動して上下方向に変位して、同上下方向の変位時に、前記突起を前記弾性部材プレートの前端部に係合させるとともに同前端部を乗り越えさせる係合部材と
を備えたことを特徴とする鍵盤装置。
【請求項２】
前記弾性部材プレートをフレーム側の支持部の上面に載置し、かつ前記弾性部材プレートの前端部を前記支持部から前方に張り出すように、前記弾性部材プレートを前記支持部に固定した請求項１に記載の鍵盤装置。
【請求項３】
前記フレーム側の支持部と接する前記弾性部材プレートの前端部側部位を前記支持部から上方へ離脱可能とした請求項２に記載の鍵盤装置。
【請求項４】
前記係合部材に設けた突起を、その先端を挟んで上側及び下側に上下方向に対してそれぞれ傾斜した傾斜面を有するように形成するとともに、上側の傾斜面の上下方向に対する傾斜角度を、下側の傾斜面の上下方向に対する傾斜角度よりも小さくした請求項１乃至３のうちのいずれか一つに記載の鍵盤装置。
【請求項５】
前記弾性部材プレートの下面であって前記スイッチ部と前記係合部材に係合する前端部との間の位置に、前記フレーム側の支持部に侵入する突出部を形成した請求項２乃至４のうちのいずれか一つに記載の鍵盤装置。
【請求項６】
前記弾性部材プレートの上面であって前記スイッチ部と前記係合部材に係合する前端部との間の位置にて、前記弾性部材プレートを下方に押圧する押圧部材を設けた請求項２乃至４のうちのいずれか一つに記載の鍵盤装置。
【発明の詳細な説明】
【技術分野】
【０００１】
本発明は、電子オルガン、電子ピアノなどの鍵盤楽器に用いられる鍵盤装置に関する。
【背景技術】
【０００２】
従来から、例えば下記特許文献１，２に示されているように、押鍵を検出するための弾性部材スイッチ（ゴム接点スイッチ）を備えた鍵盤装置において、自然楽器であるアコースティックピアノに似た鍵タッチ感を得るようにすることは知られている。この鍵盤装置においては、押鍵に伴い変位するスイッチ駆動部により変形される弾性部材スイッチの可動部の形状に種々の工夫を加え、押鍵及び離鍵時におけるスイッチ駆動部と弾性部材スイッチの可動部との摺動抵抗及び前記可動部の変形に伴う弾性力に応じた押鍵反力を鍵に与えるようにしている。
【特許文献１】特開２００１−１１７５６３号公報
【特許文献２】特開平１１−２１２５７２号公報
【発明の開示】
【０００３】
上記のような従来の鍵盤装置においては、弾性部材スイッチによる、押鍵を検出するスイッチ機能と、鍵タッチ感を与える押鍵反力機能との両立は難しく、良好な鍵タッチ感を得ることができなかった。特に、アコースティックピアノにおける良好なクリック感（すなわち、打鍵時におけるハンマーの突き上げ時の感触）を得ることができなかった。
【０００４】
本発明は、前記問題に対処するためになされたもので、押離鍵操作を検出するための弾性部材スイッチを備えた鍵盤装置において、簡単な構成で、良好な鍵タッチ感を得ることができるようにした鍵盤装置を提供することにある。
【０００５】
前記目的を達成するために、本発明に係る鍵盤装置の特徴は、前後方向に延設されていて、押鍵操作時には前端部が下方向に変位するとともに離鍵操作時には所定の位置に復帰するようにフレームに支持された鍵と、鍵の押離鍵操作を検出するためのスイッチ部を一体形成した弾性部材プレートであって、前端部が上下方向に変位するようにフレームに支持された弾性部材プレートと、鍵の押離鍵操作に連動して変位して、鍵の押鍵操作時にスイッチ部を駆動するスイッチ駆動部と、弾性部材プレートの前端部に対向して設けられるとともに同前端部側に突起を有し、鍵の押離鍵操作に連動して上下方向に変位して、同上下方向の変位時に、突起を弾性部材プレートの前端部に係合させるとともに同前端部を乗り越えさせる係合部材とを備えたことにある。
【０００６】
この場合、押鍵操作時には鍵の前端部が下方向に変位しかつ離鍵操作時には鍵を所定の位置に復帰させる手段としては、鍵の後端部を下方へ付勢するばね又は鍵の前端部を上方へ付勢するばねをフレームと鍵との間に設けるとともに、鍵の前端部の上方への変位及び下方への変位をそれぞれ規制するストッパ部をフレームに設けるようにすればよい。また、フレーム上に所定の範囲内にて揺動可能なハンマー（質量体）を設け、鍵をハンマーに係合させて、鍵をハンマーに連動させるようにしてもよい。また、スイッチ駆動部及び係合部材に関しては、鍵に一体的に連結して、鍵の前端部と一体的に変位するようにすればよい。また、前記ハンマーを備えた鍵盤装置においては、スイッチ駆動部及び係合部材をハンマーに一体的に連結して、ハンマーと一体的に変位するようにしてもよい。さらに、弾性部材プレートとフレームとの関係に関しては、例えば、弾性部材プレートをフレーム側の支持部の上面に載置し、かつ弾性部材プレートの前端部を支持部から前方に張り出すように、弾性部材プレートを支持部に固定するようにするとよい。
【０００７】
上記のように構成した鍵盤装置においては、演奏者による押鍵及び離鍵操作時、係合部材の上下方向の変位に伴い、係合部材の突起が弾性部材プレートの前端部に係合するとともに、同前端部を乗り越える。この係合部材の突起と弾性部材プレートの前端部との前記乗り越えを含む係合による反力が、押鍵操作に対する反力として与えられる。特に、押鍵操作時に、係合部材の突起が弾性部材プレートの前端部を乗り越える際には、アコースティックピアノにおける良好なクリック感（すなわち、打鍵時におけるハンマーの突き上げ時の感触）が演奏者に与えられる。また、弾性部材プレートには、鍵の押離鍵操作を検出するためのスイッチ部が弾性部材プレートに一体成型されているので、押離鍵操作を検出するスイッチ機能と、鍵タッチ感を与える押鍵反力機能との両立が一つの弾性部材により達成される。従って、上記本発明に係る鍵盤装置によれば、簡単かつ安価な構成で、良好な鍵タッチ感を得ることができる。
【０００８】
また、本発明の他の特徴は、フレーム側の支持部と接する弾性部材プレートの前端部側部位を支持部から上方へ離脱可能としたことにある。これによれば、押鍵操作時における係合部材の下方への変位時には、フレーム側の支持部による規制により、弾性部材プレートの前端部における下方へ変形可能な部分は支持部よりも張り出した部分となる。一方、離鍵操作時における係合部材の上方への変位時には、フレーム側の支持部と接する弾性部材プレートの前端部側部位が支持部から上方へ離脱可能であるので、弾性部材プレートの前端部における上方へ変形可能な部分は前記張り出した部分よりも大きくなる。その結果、押鍵操作時のクリック感は、離鍵操作時のクリック感よりも大きくなる。したがって、前記張り出した部分及び前記離脱可能な部分を調節することにより、押鍵操作時のクリック感を適度に大きく設定するとともに、離鍵操作時のクリック感をほとんど無くすように設定することができ、アコースティックピアノに似た鍵タッチ感を実現できる。
【０００９】
また、本発明の他の特徴は、係合部材に設けた突起を、その先端を挟んで上側及び下側に上下方向に対してそれぞれ傾斜した傾斜面を有するように形成するとともに、上側の傾斜面の上下方向に対する傾斜角度を、下側の傾斜面の上下方向に対する傾斜角度よりも小さくしたことにある。これによれば、押鍵操作による係合部材の下方への変位時における係合部材の突起と弾性部材プレートの前端部との摺動抵抗が、離鍵操作による係合部材の上方への変位時における係合部材の突起と弾性部材プレートの前端部との摺動抵抗よりも大きくなる。したがって、この場合も、前記両傾斜角度の調整により、前記両摺動抵抗を適当に設定することができ、押鍵操作時のクリック感を適度に大きく設定するとともに、離鍵操作時のクリック感をほとんど無くすように設定することができ、アコースティックピアノに似た鍵タッチ感を実現できる。
【００１０】
また、本発明の他の特徴は、弾性部材プレートの下面であってスイッチ部と係合部材に係合する前端部との間の位置に、フレーム側の支持部に侵入する突出部を形成したことにある。これによれば、突出部が、弾性部材プレートに設けたスイッチ部に対する、係合部材との係合による弾性部材プレートの前端部の変形の影響を抑制する。したがって、前記クリック感を大きくしても、スイッチ部による動作を安定させることができる。
【００１１】
また、本発明の他の特徴は、弾性部材プレートの上面であってスイッチ部と係合部材に係合する前端部との間の位置にて、弾性部材プレートを下方に押圧する押圧部材を設けたことにある。これによれば、押圧部材が、弾性部材プレートに設けたスイッチ部に対する、係合部材との係合による弾性部材プレートの前端部の変形の影響を抑制する。したがって、この場合も、前記クリック感を大きくしても、スイッチ部による動作を安定させることができる。
【発明を実施するための最良の形態】
【００１２】
以下、本発明の一実施形態について図面を用いて説明すると、図１は同実施形態に係る電子楽器の平面図である。この電子楽器は、上面の後部に、電子楽器の動作態様を選択するための複数のパネルスイッチＰＳＷを備えている。上面の前部には、横方向に配列された複数の鍵１０からなる鍵盤装置が設けられている。
【００１３】
図２は、この鍵盤装置を縦断して一つの鍵に関して示す側面図である。なお、図２においては白鍵についてのみ示すが、黒鍵に関しても同様であり、以下、両者を共に鍵１０として説明する。鍵１０は、合成樹脂によって長尺状に形成されており、前後方向に延設されて配置されている。鍵１０は、フレームの鍵支持部２１により、後端部の回転中心Ｐ１を中心にして前端部を上下方向に揺動自在に支持する。なお、このフレーム及び後述するフレームとは、電子楽器の種々の部品を支持するための構造体及び電子楽器のハウジング自体を意味する。
【００１４】
鍵１０の前部分の下面には、棒状のハンマー駆動部１１が一体的に設けられて、下方に延設されている。ハンマー駆動部１１の下面は、ハンマー３０の基部３１の後部上面に当接している。ハンマー３０は、合成樹脂で長尺状に成型された基部３１と、基部３１の先端面から突出して後方に延設された金属製の質量体３２とにより構成されている。基部３１の前部分下面には切り欠き３１ａが設けられている。切り欠き３１ａはフレームのハンマー支持部２２に係合しており、ハンマー３０は、ハンマー支持部２２の上端を中心に上下方向に揺動可能にハンマー支持部２２に支持されている。
【００１５】
ハンマー３０は、質量体３２の重量により、図２において時計回りに回転するように付勢されており、ハンマー駆動部１１を介して、鍵１０の前端部を上方へ付勢する。質量体３２の後端部の下方及び上方には、フレームのハンマーストッパ部２３，２４が上下方向に所定の間隔を隔ててそれぞれ設けられている。これにより、ハンマー３０は、質量体３２の後端をハンマーストッパ部２３，２４間にて揺動可能にフレームに支持される。鍵１０が押鍵操作されない状態では、図示のように、質量体３２の後端部が下方のハンマーストッパ部２３上に位置する。なお、これらのハンマーストッパ部２３，２４上には、ハンマー３０の揺動規制時の衝撃を緩和するためのフェルトなどの図示しない緩衝材が設けられている。
【００１６】
鍵１０の中間部下方には、電気回路部品を配設したプリント基板４１が、フレームの基板支持部２５上に載置固定されている。プリント基板４１上には、ゴム、シリコンなどの弾性材料で一体成型された弾性部材プレート４２が設けられている。弾性部材プレート４２は、図３及び図４に示すように、長方形の長尺状に成型されて横方向に延設されており、その前部は所定の長さだけプリント基板４１の前端から張り出し、かつプリント基板４１と接する下面全体（図５(Ａ)及び図５(Ｂ)の領域Ｌ１）にてプリント基板４１に接着剤により固着されている。プリント基板４１及び弾性部材プレート４２の横方向の長さは適宜設定されるもので、その長さに応じた数のプリント基板４１及び弾性部材プレート４２が横方向に沿ってフレームの基板支持部２５に載置固定される。
【００１７】
弾性部材プレート４２の後部には、複数の鍵１０に対応させて複数のスイッチ部４２ａが一体形成されている。スイッチ部４２ａは、内部に空洞を有する半球状（いわゆる「おわん型」）に形成され、中央部に円柱状部分を下方に突出させている。円柱状部分の下面には電気接点４２ｂが設けられ、プリント基板４１上に設けた２つの電気接点４１ａ，４１ｂにそれぞれ対向している。スイッチ部４２ａの上方に位置する鍵１０の下面には、下方への変位時に、スイッチ部４２ａを押圧変形させるスイッチ駆動部１２が一体的に設けられている。
【００１８】
弾性部材プレート４２の前端部の上方に位置する鍵１０の下面には、係合部材１３が一体的に設けられて下方に延設されている。係合部材１３の後面（図２の右側面）の下端部には、紙面に平行な縦断面形状を３角形とする突起１３ａが一体形成されている。突起１３ａの図示右側に位置する先端は、弾性部材プレート４２の前端面よりも若干量だけ後方（図示右側）に位置するとともに、鍵１０が押鍵操作されていない状態（図２の状態）では、弾性部材プレート４２の前端部上面よりも上方に位置する。
【００１９】
次に、上記のように構成した鍵盤装置の動作を説明する。鍵１０を押鍵操作しない状態では、ハンマー３０は、その自重によって図２の状態にあり、質量体３２の後端部がストッパ部２３に当接している。この状態では、鍵１０の前部はハンマー駆動部１１を介してハンマー３０の基部３１により上方に押し上げられ、鍵１０も図２の状態にある。一方、鍵１０を押鍵操作すると、ハンマー駆動部１１がハンマー３０の質量体３２の自重に対抗して基部３１を下方向に押しながら、鍵１０は回転中心Ｐ１を支点に図２にて反時計回りに揺動し始めるとともに、ハンマー３０はフレームのハンマー支持部２２を支点に反時計回りに回転し始める。
【００２０】
このとき、係合部材１３の突起１３ａは、その下側傾斜面を弾性部材プレート４２の前端部上面に摺動させながら、下方へ変位する。この突起１３ａの下方への変位時には、図５(Ａ)に示すように、弾性部材プレート４２の前端部は下方へ曲げられるように変形する。そして、係合部材１３がさらに下方へ変位すると、突起１３ａは弾性部材プレート４２の前端面を乗り越える。この突起１３ａの乗り越え後、弾性部材プレート４２の前端部は元の位置に復帰する。一方、ハンマー３０の図２の反時計回りの回転により、ハンマー３０の質量体３２の後端部がフレームのハンマーストッパ部２４に当接し、ハンマー３０の回転は停止される。それに伴い、鍵１０の前端部の下方への変位も停止する。
【００２１】
この状態では、鍵１０のスイッチ駆動部１２が下方に変位しており、スイッチ駆動部１２がスイッチ部４２ａを押圧する。この押圧により、スイッチ部４２ａは変形して、円柱状部分に設けた電気接点４２ｂがプリント基板４１上に設けた電気接点４１ａ，４１ｂを電気接続する。この電気接点４１ａ、４１ｂの電気接続により、鍵１０の押鍵操作が検出される。
【００２２】
鍵１０の押鍵操作が解除されると（すなわち鍵１０が離鍵操作されると）、ハンマー３０は、質量体３２の自重により、ハンマー支持部２２を支点に時計回りに回転し始める。そして、質量体３２の後端部がストッパ部２３に当接すると、ハンマー３０の回転は停止する。このハンマー３０の回転により、基部３１がハンマー駆動部１１を介して鍵１０の前部を上方に押し上げ、鍵１０は元の所定位置に復帰する。
【００２３】
このとき、係合部材１３は、図５(Ｂ)に示すように、突起１３ａの上側の傾斜面を弾性部材プレート４２の前端部の下面に摺動させながら、弾性部材プレート４２を変形させて上方へ変位する。そして、係合部材１３がさらに上方へ変位すると、突起１３ａは弾性部材プレート４２の前端面を乗り越え、弾性部材プレート４２はその後に元の所定位置に復帰する。この状態では、スイッチ部４２ａは元の形状に戻り、電気接点４１ａ，４１ｂ間の電気接続が解除され、この電気接続の解除により、鍵１０の離鍵操作が検出される。
【００２４】
上記のように動作する鍵盤装置においては、演奏者による押鍵及び離鍵操作時、係合部材１３の上下方向の変位に伴い、係合部材１３の突起１３ａが弾性部材プレート４２の前端部に係合するとともに、同前端部を乗り越える。この係合部材１３の突起と弾性部材プレート４２の前端部との前記乗り越えを含む係合による反力が、押鍵操作に対する反力として与えられる。特に、押鍵操作時に、係合部材１３の突起１３ａが弾性部材プレート４２の前端部を乗り越える際には、アコースティックピアノにおける良好なクリック感（すなわち、打鍵時におけるハンマーの突き上げ時の感触）が演奏者に与えられる。また、弾性部材プレート４２には、鍵１０の押離鍵操作を検出するためのスイッチ部４２ａが弾性部材プレート４２に一体成型されているので、押離鍵操作を検出するスイッチ機能と、鍵タッチ感を与える押鍵反力機能との両立が一つの弾性部材により達成される。その結果、上記実施形態に係る鍵盤装置によれば、簡単かつ安価な構成で、良好な鍵タッチ感を得ることができる。
【００２５】
さらに、本発明の実施にあたっては、上記実施形態に限定されるものではなく、本発明の目的を逸脱しない限りにおいて種々の変更が可能である。
【００２６】
例えば、上記実施形態においては、図５(Ａ)及び図５(Ｂ)に領域Ｌ１で示すように、弾性部材プレート４２とプリント基板４１の接する面全体にわたって、接着剤で弾性部材プレート４２をプリント基板４１に固着するようにした。しかし、これに代えて、図６(Ａ)及び図６(Ｂ)に領域Ｌ２で示すように、弾性部材プレート４２とプリント基板４１の接する面のうちで、前部分の接着を省略して弾性部材プレート４２の後部分のみを接着剤でプリント基板４１に固着するようにしてもよい。言い換えれば、プリント基板４１と接する弾性部材プレート４２の前端部側部位を、プリント基板４１から上方へ離脱可能としてもよい。
【００２７】
これによれば、押鍵操作時における係合部材１３の下方への変位時には、図６(Ａ)に示すように、プリント基板４１による規制により、弾性部材プレート４２の前端部における下方へ変形可能な部分はプリント基板４１よりも張り出した部分のみとなる。一方、離鍵操作時における係合部材１３の上方への変位時には、図６(Ｂ)に示すように、プリント基板４１と接する弾性部材プレート４２の前端部側部位がプリント基板４１から上方へ離脱可能であるので、弾性部材プレート４２の前端部における上方へ変形可能な部分は前記プリント基板４１から張り出した部分よりも大きくなる。その結果、押鍵操作時のクリック感は、離鍵操作時のクリック感よりも大きくなる。したがって、前記張り出した部分及び前記離脱可能な部分を調節することにより、押鍵操作時のクリック感を適度に大きく設定するとともに、離鍵操作時のクリック感をほとんど無くすように設定することができ、アコースティックピアノに似た鍵タッチ感を実現できる。
【００２８】
また、上記実施形態においては、係合部材１３の突起１３ａの先端を挟む上下両側の傾斜面を、上下方向に対してほぼ同じ傾斜角度を有するように形成した。しかし、これに代えて、図７に示すように、突起１３ａの先端よりも上側の傾斜面１３ａ１の上下方向に対する傾斜角度θｕを、突起１３ａの先端よりも下側の傾斜面１３ａ２の上下方向に対する傾斜角度θｄよりも小さくするようにしてもよい。この場合も、図５(Ａ)及び図５(Ｂ)に領域Ｌ１で示すように、弾性部材プレート４２とプリント基板４１の接する面全体にわたって、接着剤で弾性部材プレート４２をプリント基板４１に固着してもよい。また、図６(Ａ)及び図６(Ｂ)に領域Ｌ２で示すように、弾性部材プレート４２とプリント基板４１の接する面のうちで、前部分の接着を省略して弾性部材プレート４２の後部分のみを接着剤でプリント基板４１に固着してもよい。
【００２９】
これによれば、押鍵操作による係合部材１３の下方への変位時における係合部材１３の突起１３ａと弾性部材プレート４２の前端部との摺動抵抗（図８(Ａ)参照）が、離鍵操作による係合部材１３の上方への変位時における係合部材１３の突起１３ａと弾性部材プレート４２の前端部との摺動抵抗（図８(Ｂ)参照）よりも大きくなる。したがって、この場合も、前記両傾斜角度θｕ，θｄの調整により、前記両摺動抵抗を適当に設定することができ、押鍵操作時のクリック感を適度に大きく設定するとともに、離鍵操作時のクリック感をほとんど無くすように設定することができ、アコースティックピアノに似た鍵タッチ感を実現できる。
【００３０】
また、上記実施形態及び各種変形例においては、係合部材１３の突起１３ａが弾性部材プレート４２と係合する際に、前記係合による弾性部材プレート４２の前端部の変形がスイッチ部４２ａに影響して、スイッチ部４２ａの動作が安定しなくなる虞がある。特に、図６(Ａ)及び図６(Ｂ)に示すように、弾性部材プレート４２とプリント基板４１の接する面のうちで、前部分の接着を省略して弾性部材プレート４２の後部分（Ｌ２の領域）のみを接着剤でプリント基板４１に固着した場合、前記スイッチ部４２ａへの影響が大きくなる。この対策としては、次のような２つの方法が考えられる。
【００３１】
第１の方法は、図９に示すように、弾性部材プレート４２の下面であって複数のスイッチ部４２ａの前方（図示左方）位置すなわち複数のスイッチ部４２ａと係合部材１３に係合する前端部との各間の位置に、それぞれ円柱状の突出部すなわちボス４２ｃを横方向に一列に配置して一体的に形成する。プリント基板４１の対応する複数の箇所には、貫通孔４１ｃをそれぞれ設けておく。そして、ボス４２ｃを貫通孔４１ｃに圧入して弾性部材プレート４２をプリント基板４１上に固定する。この場合、上記実施形態及び変形例のように、弾性部材プレート４２をプリント基板４１上に接着剤で接着するようにしてもよいが、前記ボス４２ｃの貫通孔４１ｃへの圧入により弾性部材プレート４２をプリント基板４１上に堅固に固定できる場合には、弾性部材プレート４２をプリント基板４１上に接着剤で接着固定する必要はない。この第１の方法によれば、ボス４２ｃが、弾性部材プレート４２に設けたスイッチ部４２ａに対する、係合部材１３との係合による弾性部材プレート４２の前端部の変形の影響を抑制する。したがって、前記クリック感を大きくしても、スイッチ部４２ａによる動作を安定させることができる。
【００３２】
第２の方法は、図１０に示すように、弾性部材プレート４２の上面であって複数のスイッチ部４２ａの前方（図示左方）位置すなわち複数のスイッチ部４２ａと係合部材１３に係合する前端部との間の位置にて、弾性部材プレート４２を下方に押圧する押圧部材すなわちリブ部材４３を設けるとよい。リブ部材４３は、図１０に拡大して示すように、平板上の上板部４３ａ、平板上の下板部４３ｂ、及び上板部４３ａと下板部４３ｂを後端にて一体的に連結する連結部４３ｃを有する縦断面略コ字状に形成した横方向に長尺の部材で構成される。上板部４３ａの前端部には、下方に突出させて弾性部材プレート４２を押圧固定する押さえ部４３ｄが設けられる。上板部４３ａには、複数のスイッチ部４２ａを上方に突出させる複数の貫通孔４３ｅが設けられている。このように構成したリブ部材４３は、複数のスイッチ部４２ａを複数の貫通孔４３ｅからそれぞれ突出させるように、弾性部材プレート４２及びプリント基板４１を後方側から上下に挟み込むようにしてプリント基板４１に固定され、押さえ部４３ｄでスイッチ部４２ａの前方位置にて弾性部材プレート４２を押さえつける。固定方法は、接着剤固定、ビス固定などの種々の方法を採用できる。
【００３３】
この場合も、上記実施形態及び変形例のように、弾性部材プレート４２をプリント基板４１上に接着剤で接着するようにしてもよいが、リブ部材４３により弾性部材プレート４２をプリント基板４１上に堅固に固定できる場合には、弾性部材プレート４２をプリント基板４１上に接着剤で接着固定する必要はない。この第２の方法によっても、リブ部材４３の押さえ部４３ｄが、弾性部材プレート４２に設けたスイッチ部４２ａに対する、係合部材１３との係合による弾性部材プレート４２の前端部の変形の影響を抑制する。したがって、この場合も、前記クリック感を大きくしても、スイッチ部４２ａによる動作を安定させることができる。
【００３４】
また、上記実施形態及び変形例においては、ハンマー駆動部１１、スイッチ駆動部１２及び係合部材１３を鍵１０と一体形成するようにした。しかし、これに代えて、スイッチ駆動部１２及び係合部材１３と同じ機能を、ハンマー駆動部１１により駆動されるハンマー３０側に持たせるようにしてもよい。この場合、図１２に示すように、ハンマー３０の基部３１の下面上であって切り欠き３１ａよりも前方位置に、上記実施形態のスイッチ駆動部１２と同様なスイッチ駆動部３１ｂを一体的に形成する。また、基部３１の後端部下面上に、突起３１ｃ１を有するとともに下方向に延設された上記実施形態の係合部材１３と同様な係合部材３１ｃを一体的に設ける。スイッチ駆動部３１ｂの下方及び係合部材１３の後方には、上記実施形態の場合と同様に、プリント基板４１及び弾性部材プレート４２がフレームの基板支持部２５上に載置固定される。この場合、ハンマー３０の反時計回りの回転により、基部３１が下方に変位するとき、スイッチ部４２ａがスイッチ駆動部３１ｂにより駆動され、係合部材３１ｃの突起３１ｃ１が弾性部材プレート４２の前端部に係合するように、プリント基板４１及び弾性部材プレート４２が配置される。
【００３５】
これによれば、鍵１０の押離鍵操作に応じて、ハンマー３０が反時計回り及び時計回りに回転し、ハンマー３０の基部３１の上下方向の変位により、上記実施形態の場合と同様に、スイッチ部４２ａがスイッチ駆動部３１ｂにより駆動され、係合部材３１ｃの突起３１ｃ１が弾性部材プレート４２の前端部に係合する。したがって、この変形例によってもように、上記実施形態と同様な効果が期待される。
【００３６】
なお、この図１２の変形例に係る鍵盤装置の場合も、図５(Ａ)及び図５(Ｂ)に示す上記実施形態のように、プリント基板４１に接する弾性部材プレート４２の下面全体（領域Ｌ１）を接着剤によってプリント基板４１に固着するとよい。また、図６(Ａ)及び図６(Ｂ)に示す変形例のように、弾性部材プレート４２とプリント基板４１の接する面のうちで、前部分の接着を省略して弾性部材プレート４２の後部分（領域Ｌ２）のみを接着剤でプリント基板４１に固着するようにしてもよい。また、図７に示す変形例のように、係合部材３１ｃの突起３１ｃ１の先端よりも上側の傾斜面の上下方向に対する傾斜角度を、突起３１ｃ１の先端よりも下側の傾斜面の上下方向に対する傾斜角度よりも小さくするようにしてもよい。また、図９に示す変形例のように、弾性部材プレート４２の下面であって複数のスイッチ部４２ａの前方（図示左方）位置すなわち複数のスイッチ部４２ａと係合部材３１ｃに係合する前端部との各間の位置に、それぞれ円柱状の突出部すなわちボス４２ｃを横方向に一列に配置して、ボス４２ｃをプリント基板４１の貫通孔４１ｃに圧入するようにしてもよい。さらに、図１０に示す変形例のように、弾性部材プレート４２の上面であって複数のスイッチ部４２ａの前方（図示左方）位置すなわち複数のスイッチ部４２ａと係合部材１３に係合する前端部との間の位置にて、弾性部材プレート４２を下方に押圧する押圧部材すなわちリブ部材４３を設けるようにしてもよい。このような図１２の鍵盤装置の変形例によっても、上記実施形態の変形例の場合と同様な効果がそれぞれ期待される。
【００３７】
また、上記実施形態及び各種変形例においては、鍵１０の前端部を上方へ付勢するとともに所定範囲内で上下に変位させる手段として、ハンマー３０及びストッパ部２３，２４を用いるようにした。しかし、これに代えて、鍵１０の後端部を下方へ付勢するばね又は鍵１０の前端部を上方へ付勢するばねをフレームと鍵１０との間に設けるとともに、鍵１０の前端部の上方への変位及び下方への変位をそれぞれ規制するストッパ部をフレームに設けるようにしてもよい。
【００３８】
また、上記実施形態及び各種変形例においては、鍵１０の押離鍵操作を検出するために、１つの鍵１０に対して１つのスイッチ部４２ａを設けるようにした。しかし、鍵１０の押離鍵操作を検出するとともに、鍵１０の押鍵速度を検出するために、１つの鍵１０に対して２つのスイッチ部を弾性部材プレート４２に一体形成するようにしてもよい。この場合、１つの鍵１０に対する２つのスイッチ部は、押鍵操作に伴うスイッチ駆動部１２，３１ｂによる押圧により、時間差をもってオン・オフ動作するようにする。
【００３９】
さらに、上記実施形態及び各種変形例においては、スイッチ部４２ａを一体形成した弾性部材プレート４２をプリント基板４１上に固定するようにした。この場合、プリント基板４１は、弾性部材プレート４２をフレームに対して支持する機能を有する本発明のフレーム側の支持部に対応するものである。しかし、このプリント基板４１に代えて、弾性部材プレート４２をフレームの一部によって直接支持させるようにしてもよい。この場合、弾性部材プレート４２のスイッチ部４２ａが位置する部分のみをプリント基板４１上に位置させ、スイッチ部４２ａの前側の部分をフレーム上に直接載置させるようにすればよい。
【図面の簡単な説明】
【００４０】
【図１】本発明の一実施形態に係る電子楽器の外観を示す平面図である。
【図２】前記電子楽器の鍵盤装置を縦断して一つの鍵に関してのみ示す側面図である。
【図３】図２のプリント基板及び弾性部材プレートの平面図である。
【図４】図３の４−４線に沿って見たプリント基板及び弾性部材プレートの断面図である。
【図５】(Ａ)(Ｂ)は、上記実施形態の鍵盤装置における押離鍵操作時の係合部材と弾性部材との係合状態を示す概略図である。
【図６】(Ａ)(Ｂ)は、上記実施形態の変形例に係る鍵盤装置における押離鍵操作時の係合部材と弾性部材プレートとの係合状態を示す概略側面図である。
【図７】上記実施形態の他の変形例に係る鍵盤装置の係合部材及び弾性部材プレートの部分を示す側面図である。
【図８】(Ａ)(Ｂ)は、図７の変形例に係る鍵盤装置における押離鍵操作時の係合部材と弾性部材プレートとの係合状態を示す概略側面図である。
【図９】上記実施形態の他の変形例に係る鍵盤装置を縦断して一つの鍵に関して示す側面図である。
【図１０】上記実施形態の他の変形例に係る鍵盤装置を縦断して一つの鍵に関して示す側面図である。
【図１１】図１０の変形例に係る鍵盤装置のリブ部材の拡大斜視図である。
【図１２】上記実施形態の他の変形例に係る鍵盤装置を縦断して一つの鍵に関して示す側面図である。
【符号の説明】
【００４１】
１０…鍵、１１…ハンマー駆動部、１２，３１ｂ…スイッチ駆動部、１３，３１ｃ…係合部材、１３ａ１，１３ａ２…傾斜面、１３ａ，３１ｃ１…突起、２２…ハンマー支持部、２３，２４…ハンマーストッパ部、２５…基板支持部、３０…ハンマー、４１…プリント基板、４２…弾性部材プレート、４２ａ…スイッチ部、４２ｃ…ボス、４３…リブ部材、４３ｄ…押さえ部
【図１】
2008191350.tif 000003
【図２】
2008191350.tif 000004
【図３】
2008191350.tif 000005
【図４】
2008191350.tif 000006
【図５】
2008191350.tif 000007
【図６】
2008191350.tif 000008
【図７】
2008191350.tif 000009
【図８】
2008191350.tif 000010
【図９】
2008191350.tif 000011
【図１０】
2008191350.tif 000012
【図１１】
2008191350.tif 000013
【図１２】
2008191350.tif 000014